(57)【要約】【課題】  パック容器や食器洗いに先立ってスポンジ洗いで落ちにくい汚れを通常水等を使用し、掻き擦り機能と削り取り機能とを使い分けて大まかに除去する、スポンジ洗いや食洗機洗いをスムーズにする、しなやかで汎用性に富む、キッチンプレウオッシャーを提供する。【解決手段】  所定の柔らかさ、弾性力、厚さのあるシリコンゴム等の樹脂板である、撓わせグリップ板（１）と（１）の１辺に、中間に直縁部（５）を確保して設けた刃の先端に、平頭エッジ（４）を持つジグザグ切れ目状の、ラフブラシ部（２）と他の辺に設けたカーブ状の、スクレーパーエッジ部（３）と（１）の表面に設けた、リッジ部（６）から成り、樹脂板のバネ力と二つ折りにして掴む力の均衡によるＵ形立体構造生成を特徴とし、板状スクレーパーで使う以外に、二つ折りに撓わせて（２）を重ね合わせて刃先の密集度を高めての使用が出来る汎用スクレーパーを構成する。【選択図】図４
2014151167.tif 000002
【特許請求の範囲】
【請求項１】
掌で多形態に撓わせて支持して使用すべく、所定の柔らかさ、弾性力、厚さを持つ板状の、撓わせグリップ板（１）と（１）の１辺に設けたジグザグ切れ目状の、ラフブラシ部（２）と（２）を設けた辺以外の他の辺に設けたカーブ状の削り縁である、スクレーパーエッジ部（３）から成り、折り曲げた際、ラフブラシ部（２）の刃先の列が二つ折りになって重なり合う、撓わせグリップ板（１）のバネ力と二つ折りにして掌で掴む力の均衡による断面がほぼＵ形の立体構造生成を特徴とする、キッチンプレウオッシャー。
【請求項２】
ラフブラシ部（２）の各刃の先端部の微細な形状に於いて、掻き擦る各方向に対して掻き擦り機能が的確に得られるように先端をほぼ平頭にした先端部のエッジである、平頭エッジ（４）を設けた、請求項１記載の、キッチンプレウオッシャー。
【請求項３】
撓わせグリップ板（１）の１辺上でラフブラシ部（２）のほぼ中央に直線状の縁である、直縁部（５）を設けた、請求項１又は２記載の、キッチンプレウオッシャー。
【請求項４】
撓わせグリップ板（１）の表面に複数の、表面を平行に突起させた、リッジ部（６）を設けた、請求項１又は２又は３記載の、キッチンプレウオッシャー。
【発明の詳細な説明】
【技術分野】
【０００１】  この発明は、パック容器や食器類洗いに先立って洗いで落ちにくい汚れを通常、水やお湯を利用しながら、掻き擦り除去機能と削り取り除去機能とを使って大まかに除去する、キッチンプレウオッシャーに関するものである。
【背景技術】
【０００２】  従来、食器、調理器具、調理容器、パック容器等（以下食器類と記す）の洗いは洗剤を使ったスポンジ洗いや食器洗い乾燥機（以下食洗機と記す）の利用により行なわれてきた。
また、スポンジ洗いや食洗機利用の効率を高める為、予洗いとして食器類の表面に付着した大きな汚れはスクレーパー等を使って除去が行なわれてきた。
【先行技術文献】
【０００３】
【特許文献１】
【非特許文献１】
【発明の概要】
【発明が解決しようとする課題】
【０００４】  食器類洗いに於いては洗剤を使ったスポンジ洗いや食洗機の利用が行われてきたが汚れの状態によっては楽にスポンジ洗いができなかったり、食洗機利用の予洗いに手間がかかる状況がしばしば発生した。
そのような時スクレーパーが予洗いの補助具として利用されてきたが、従来のスクレーパーでは表面に小さな曲面や凹凸を持つ食器類に対して形態的に汚れを除去しにくい難点があった。また、柔らかくて洗う際に支持しづらいパック容器やシリコン容器に対しても力伝達的に汚れを除去しにくい難点があった。
本発明は食器類のスポンジ洗いや食洗機使用に先立って、掻き擦り除去機能と削り取り除去機能とを使って洗いで落ちにくい汚れを大まかに除去する、広範囲の食器類適用の汎用性を持つ、スポンジ洗いを楽にし、食洗機を使用する前の予洗いに便利な、キッチンプレウオッシャーを提供するものである。
【課題を解決するための手段】
【０００５】  （解決の手段１）
掌で多形態に撓わせて支持して使用すべく、所定の柔らかさ、弾性力、厚さを持つ、板状の、撓わせグリップ板（１）と（１）の１辺に設けたジグザグ切れ目状の、ラフブラシ部（２）と（２）を設けた辺以外の他の辺に設けたカーブ状の削り縁である、スクレーパーエッジ部（３）から成り、折り曲げた際、ラフブラシ部（２）の刃先の列が二つ折りになって重なり合う、撓わせグリップ板（１）のバネ力と二つ折りにして掌で掴む力の均衡による断面がほぼＵ形の立体構造生成を特徴とする、キッチンプレウオッシャー。
（解決の手段２）
ラフブラシ部（２）の各刃の先端部の微細な形状に於いて、掻き擦る各方向に対して掻き擦り機能が的確に得られるように先端をほぼ平頭にした先端部のエッジである、平頭エッジ（４）を設けた、解決の手段１記載の、キッチンプレウォッシャー。
（解決の手段３）
撓わせグリップ板（１）の１辺上でラフブラシ部（２）のほぼ中央に直線状の縁である、直縁部（５）を設けた、解決の手段１又は２記載の、キッチンプレウオッシャー。
（解決の手段４）
撓わせグリップ板（１）の表面に複数の、表面を平行に突起させた、リッジ部（６）を設けた、解決の手段１又は２又は３記載の、キッチンプレウオッシャー。
本発明は以上の４項の構成から成る、キッチンプレウオッシャーである。
【発明の効果】
【０００６】  本発明のキッチンプレウオッシャーでは食器類のスポンジ洗いや食洗機使用に先立って、刃先を食器類の凹凸面に回り込ませ、流す、浸す等の多形態で水やお湯等（以下水等と記す）を利用しながら汚れをブラッシングするラフブラシ部（２）の掻き擦り除去機能と、しなやかなスクレーパーエッジ部（３）による削り取り除去機能とを使い分けて広範囲の食器類適用の汎用性を持つ、スポンジ洗いを楽にし、食洗機を使用する前の予洗いに便利な、ソフトでしなやかな、スクレーパー機能を得ることができる。
本発明は一体成形で制作が可能であり、構造がシンプルで安価に制作出来る。
本発明は家事を楽しくする、親近感あるクラゲ形のキッチンプレウォッシャーである。【０００７】  本発明は本体を二つ折りに撓わせて掴み、Ｕ形立体構造にして左右のラフブラシ部（２）を重ね合わせて刃先の密集度を高め、掻き擦り除去性能を強化できる構造効果を持つことを最大の特徴とする。
折り曲げた際には、撓わせグリップ板（１）のバネ力と二つ折りにして掌で掴む力の均衡により断面がほぼＵ形の立体構造となり、手指と樹脂板の間の適度な摩擦力も働いてその形状で安定して支持される。ラフブラシ部（２）のジグザグ形の形状は、撓わせグリップ板（１）等と同一材料の一体成形で制作出来るものである。
柔らかくて洗う際に支持しづらいパック容器やシリコン容器、軽過ぎたり蓋が邪魔で持ちにくいパック容器、表面に小さな曲面や凹凸のある食器類の汚れには水等を利用しながら刃先を軽く当てて擦るラフブラシ部（２）の使用が能率的である。
水等を利用したブラッシングだけで完全に落ちない、固まった硬い汚れもラフブラシ部（２）使用により汚れの表面に傷を付けることにより水等や洗剤を行きわたり易くし、スポンジ洗いの時、汚れが分解、離脱しやすくなり楽に洗い流せるようになる。
ラフブラシ部（２）先端で柔らかいパック容器やシリコン容器を擦る際、ラフブラシ部（２）先端付近は素材の柔らかさに形状の柔弱さが加わり、撓わせグリップ板（１）に掛ける力を該先端部分のクッション効果が適度な範囲で吸収して、力の掛かり方のクッション効果により柔らかい容器の形を崩すことなく滑らかに安定して使用できる。
これは、従来のスクレーパーの力伝達的に汚れを除去し難い難点を解決したものである。
ラフブラシ部（２）の使用時、本体は掌の間にフィットして収まるカーブ形状となる（図５のａを参照）。
ラフブラシ部先端に設けた、平頭エッジ（４）は各方向に対してほぼ均等な微細な縁を持ち、その微細な縁で汚れを効率的に擦り取る効果を生む。【０００８】  本発明は様々な食器類への適用の汎用性を持つ。
常に流し台のシンクの近くに置いておき、食器洗いスポンジと同格の使用をする。
本発明は、油等、水に流さないで本発明で拭い取ったものを紙等に拭き取って処理した方が良い汚れの場合以外は、通常、水等を利用しながら使用すると効果的である。
ラフブラシ部（２）使用に於いては勿論、それ以外のスクレーパー部分使用に際しても水等の使用は本発明の効果を高める。
お湯と洗剤と本発明の３条件は効率的に汚れの分解を促し、即洗い流せる、予洗いの理想的な形態である。
本発明は、先に述べたラフブラシ部（２）のほか、撓わせグリップ板（１）素材の柔らかさ、弾性力、板の厚さの適度な条件バランス下における、スクレーパーエッジ部（３）、リッジ部（６）の機能があり、それらを使い分けて本発明１つで様々な状況に応じて総合的なスクレーパーとして使用することが出来て便利である。
スクレーパーエッジ部（３）は撓わせることにより多様のカーブを作り出し（図５のｂ及びｃを参照）、食器類の大小のカーブ面にフレキシブルに対応出来て便利である。
これらは、従来のスクレーパーの形態的に汚れを除去しにくい難点を解決したものである。
本発明の食器類適用の汎用性を具体的な使用の形態と持ち方のバリエーションで例示する。
１．表面に小さな凹凸がある食器や複雑な溝のあるパック容器、柔らかくて洗う際に支持しづらいパック容器、シリコン容器等は、図５中のａの説明図に示すように本発明をＵ形に撓わせて掴み、重なり合ったラフブラシ部（２）で水等を流しながら汚れを掻き擦り除去することができる。
２．ラフブラシ部は平面状の幅の広いブラシとしても使うことができる。
３．食器の汚れはスクレーパーエッジ部（３）で食器の様々な大きさのカーブ面に合わせて撓わせて持ち、表面の汚れを拭い取ることができる。
４．皿、鍋、フライパン、ボウル等の大きいカーブ面の汚れは、図５中のｂの説明図に示すような持ち方で拭い取ることができる。
５．食器類の大きいカーブ面に付いたカレー料理、ソースや油などの柔らかい汚れに対しては図５中のｅの説明図に示すように本発明の先端部分を当てて、先端を板と直角方向に動かして汚れを先端でさらうようにして拭い取ることができる。
６．おたま、スプーン等の小さなカーブ面の汚れは、図５中のｃの説明図に示すような持ち方で拭い取ることができる。
７．カップの縁や内側面の汚れは、図５中のｄの説明図に示すような持ち方で、撓わせグリップ板（１）を丸めて、胴体部分のリッジ部（６）で汚れを擦り取ることができる。
その場合、本発明は通常は水等を使用する状況にある為、撓わせグリップ板とカップの摩擦抵抗は邪魔にならない。
８．孔（７）で箸先の汚れを拭い取ることができる。
【図面の簡単な説明】
【０００９】
【図１】  実施の形態１に係る本発明を示す斜視図である。
【図２】  実施の形態２に係る本発明を示す斜視図である。
【図３】  実施の形態３に係る本発明を示す斜視図である。
【図４】  実施の形態２に係る本発明の使用中の構造を示す説明図である。
【図５】  本発明の使用の形態と持ち方を示す説明図である。
【図６】  実施の形態１に係る本発明を示す正面図である。
【図７】  実施の形態１に係る本発明を示す平面図である。
【図８】  実施の形態１に係る本発明を示す左側面図である。
【図９】  実施の形態１に係る本発明を示す右側面図である。
【図１０】  実施の形態１に係る本発明を示す底面図である。
【図１１】  実施の形態１に係る本発明を示す背面図である。
【図１２】  実施の形態１に係る本発明を示すＡ−Ａ断面図である。
【図１３】  実施の形態２に係る本発明を示す正面図である。
【図１４】  実施の形態２に係る本発明を示す平面図である。
【図１５】  実施の形態２に係る本発明を示す左側面図である。
【図１６】  実施の形態２に係る本発明を示す右側面図である。
【図１７】  実施の形態２に係る本発明を示す底面図である。
【図１８】  実施の形態２に係る本発明を示す背面図である。
【図１９】  実施の形態２に係る本発明を示すＢ−Ｂ断面図である。
【発明を実施するための形態】
【００１０】  （実施の形態１）
図１及び図６〜図１２は、本発明の実施の形態１に係るキッチンプレウオッシャーを示す図面であり、図１は斜視図、図６は正面図、図７は平面図、図８は左側面図、図９は右側面図、図１０は底面図、図１１は背面図、図１２はＡ−Ａ断面図である。
掌で多形態に撓わせて支持して使用すべく、所定の柔らかさ、弾性力、厚さを持つ樹脂等の板状の、撓わせグリップ板（１）と（１）の１辺に設けたジグザグ切れ目状の、ラフブラシ部（２）と（２）を設けた辺以外の他の辺に設けたカーブ状の削り縁である、スクレーパーエッジ部（３）から成り、折り曲げた際、ラフブラシ部（２）の刃先の列が二つ折りになって重なり合う、撓わせグリップ板（１）のバネ力と二つ折りにして掌で掴む力の均衡によるほぼＵ形の立体構造生成を特徴としている。
ラフブラシ部（２）の各刃の先端部の微細な形状に於いて、掻き擦る各方向に対して掻き擦り除去機能が的確に得られるように先端をほぼ平頭にした先端部のエッジである、平頭エッジ（４）が設けられている。
撓わせグリップ板（１）の１辺上でラフブラシ部（２）のほぼ中央に直線状の縁である、直縁部（５）が設けられている。
撓わせグリップ板（１）の表面に箸先擦り用の孔である、孔（７）が収納用のぶら下げ孔と兼用して設けられている。
本発明の実施の形態１に於いては、上記（１）〜（５）及び（７）の全ての部分を同一の材料で一体成形で設けている。これにより、本発明の効果を的確にし、生産の合理化、接合部が無い為のキッチン用品としての清潔さ、故障の少ないシンプルさによる汎用性を付加している。
【００１１】  図に於いて（１）は、撓わせグリップ板である。
掌で多形態に撓わせて支持して使用すべく、所定の柔らかさ、弾性力、厚さを持つ樹脂等の板であり、素材の弾性力が働いた状態で自由に変形させた形で表面摩擦力により滑ることなく手で支持し、板の周囲の縁の形を様々な曲率のカーブにして、様々な曲率の曲面を持つ食器類表面に縁が追従してスクレーパー機能を可能にするもので、手を離すと元の平面形状に戻ることを特徴とする。
本発明の構成要素である撓わせグリップ板（１）としての必要条件は、柔らかさ、弾性力、厚さのバランスである。本発明の、撓わせグリップ板（１）は程良い柔らかさ、弾性力、厚さを持ち、殆どの汚れに多形態でフレキシブルに使える汎用性を持つものである。
撓わせグリップ板（１）は柔らかさ、弾性力、厚さの程度やバランスにより本発明の機能を生むもので、実施の形態１ではやや硬く厚みの薄い状態で適度の弾性力のある樹脂等を使用した薄い構造をしている。
撓わせグリップ板（１）の断面形状は、中央から外周部へ向かって外周縁部の方を若干薄くする、テーパーを付けてもよい（図示せず）。
撓わせグリップ板（１）の先端の断面形状は実施の形態１では板の外周部分が薄い為、ラフブラシ部以外は先端を丸い断面としている。この先端断面は直角にカットした断面形状でもよい（図示せず）。
【００１２】  図に於いて（２）は、ラフブラシ部である。
撓わせグリップ板（１）の１辺に設けたジグザグ切れ目状の、ラフな形状のブラシであり、撓わせグリップ板（１）と一体成形していて、撓わせグリップ板（１）と一体化したラフブラシ部（２）の刃先の列が撓わせグリップ板（１）を撓わせて手で持った際、二つ折りになって重なり合うような関係の形状にしている。
その際、撓わせグリップ板（１）のバネ力と二つ折りにして掌で掴む力の均衡によるほぼＵ形の立体構造を生成し、ラフブラシ部（２）を重ね合わせて刃先の密集度を高めて効率的に汚れを掻き擦り、除去することが出来る。
二つ折りにした際に本体は掌の間にフィットして収まるカーブ形状となり、持ち易い。
柔らかくて洗う際に支持しづらいパック容器やシリコン容器、軽過ぎたり蓋が邪魔で支持しづらいパック容器、表面に小さな曲面や凹凸のある食器類の汚れには水等を利用しながら刃先を軽く当てて擦るラフブラシ部（２）の使用が能率的である。
水等を利用したブラッシングだけで完全に落ちない、固まった硬い汚れもラフブラシ部（２）使用により汚れの表面に傷を付けることになり、水等や洗剤が行きわたり易くなり、スポンジでの本洗いの時には完全に洗い流せるレベルの汚れにする効果がある。
【００１３】  図に於いて（３）はスクレーパーエッジ部である。
程よい柔らかさ、弾性性能、厚さを持つ、撓わせグリップ板（１）のラフブラシ部（２）を設けた辺以外の他の辺に設けたカーブ状の削り縁である。
実施例ではラフブラシ部（２）の反対側の辺を緩いカーブのエッジ、ラフブラシ部の辺と隣り合う辺を急なカーブのエッジとし、板全体をクラゲ形にしている。
クラゲ形の形状は汎用性の高いスクレーパーとする為、ラフブラシ部の掻き擦りによる除去機能に、スクレーパーの削り取り機能をプラスして出来た形状である。
親水性のあるクラゲの形状は製品として親近感ある心理効果を生み作業を楽しくする。
カーブ形のスクレーパーエッジ部は本体を撓わせてエッジを食器類の表面に当てる際、手からの力が本体の形を安定させたまま接する部分に集中させる効果がある。
実施の形態では、スクレーパーエッジの先端断面を斜めに切った形にしているが直角に切った形でも良い（図示せず）。
スクレーパーエッジ部（３）は食器類の大小の曲面に使え、一方、スクレーパーエッジの効かない細かな凹凸面や柔らかい食器類はラフブラシ部（３）が使えるので、本発明１つで多様な状況に対応できる。
【００１４】  図に於いて（４）は平頭エッジである。
ラフブラシ部（２）の各刃の先端部の微細な形状に於いて、掻き擦る各方向に対して掻き擦り機能が的確に得られるように先端を平頭にした先端部のエッジである。
【００１５】  図に於いて（５）は直縁部である。
撓わせグリップ板（１）の１辺上でラフブラシ部（２）のほぼ中央に設けた直線状の縁である。二つに折り曲げる際に中央できれいに折り曲がるようにした折り曲げ位置を誘導する効果がある。
【００１６】  図に於いて（７）は孔である。
箸先擦り用に設けた孔であり、製品収納のぶら下げ孔と兼用してもよい。実施の形態では箸先擦り用の孔と収納のぶら下げ孔を兼用して設けている。
【００１７】  （実施の形態２）
図２、図４、図５、図１３〜図１９は、本発明の実施の形態２に係るキッチンプレウオッシャーを示す図面であり、図２は斜視図、図４は使用中の構造を示す説明図、図５は利用の形態と持ち方を示す説明図、図１３は正面図、図１４は平面図、図１５は左側面図、図１６は右側面図、図１７は底面図、図１８は背面図、図１９はＢ−Ｂ断面図である。
実施の形態２は実施の形態１に係るキッチンプレウオッシャーとほぼ同じ構成であるが、撓わせグリップ板（１）の表面に、リッジ部（６）を設けた点に特徴がある。
撓わせグリップ板（１）は柔らかさ、弾性力、厚さの程度、バランスにより本発明の機能を生むもので、実施の形態２では柔らかくやや厚みのある状態で適度の弾性力のある、シリコン樹脂等を使用したやや厚い構造をしている。
撓わせグリップ板（１）の先端の断面形状は実施の形態２では板にやや厚みがあり、片面にリッジ部がある為、リッジ部を設けた側と反対側を先端にして斜めにカットした断面形としている。当該先端断面は直角にカットした断面形状でもよい（図示せず）。
これらは本発明のスクレーパー機能を的確にするものである。
撓わせグリップ板（１）の全体断面形状は、中央から外周部へ向かって外周縁部の方を若干薄くする、テーパーを付けてもよい（図示せず）。
本発明の実施の形態２に於いては、（１）〜（７）の全ての部分を同一の材料で一体成形して設けている。これにより、本発明の効果を的確にし、生産の合理化、接合部が無い為のキッチン用品としての清潔さ、故障の少ないシンプル構造による汎用性を付加している。
【００１８】  図に於いて（６）はリッジ部である。
これは擦り取り用の表面突起と板の撓わせ方向性生成との２つの目的で設けている。
撓わせグリップ板（１）の表面に撓わせる方向と直角方向に向いて平行に並ぶ、多数の、表面突起である。このリッジ部（６）を利用してカップの内側面の汚れを擦り取ることができる。
【００１９】  （実施の形態３）
図３は、本発明の実施の形態３に係るキッチンプレウオッシャーを示す斜視図である。
実施の形態３は実施の形態２に係るキッチンプレウオッシャーとほぼ同じ構成であるが、薄い構造の、撓わせグリップ板（１）の表面に、リッジ部（６）を密に設けた点に特徴がある。
図のようにリッジ部を密に設けることにより、リッジ間の断面欠損による適度な撓わせ性能を確保しながら撓わせグリップ板の厚さを一部厚く見せる製品デザインが可能になる。
【００２０】  次に本発明の使い方を説明する。
本発明は食器類のスポンジ洗いや食洗機使用に先立って、ラフブラシ部（２）の掻き擦り除去機能と、しなやかなスクレーパーによる削り取り除去機能とを使い分けて広範囲の食器類の予洗いに補助具として使用する。
本発明は、油等、水に流さないで本発明から紙等に拭き取って処理した方が良い汚れの場合以外は、通常、汚れ部分に水等を流したり、水等に浸したりした状態で使用する。
本発明を使う際、お湯と洗剤の利用は効率的に汚れの分解を促し、即洗い流せる為、理想的な使い方である。
【００２１】  表面に小さな凹凸がある食器や複雑な溝のあるパック容器、柔らかくて洗う際に支持しづらいパック容器、シリコン容器等は、図５中のａの説明図に示すように本発明をＵ形に撓わせて掴み、重なり合ったラフブラシ部（２）で汚れを軽く掻き擦り除去する。
ラフブラシ部は平面状でも使うことができる。
食器等の汚れはスクレーパーエッジ部（３）で食器の様々な大きさのカーブ面に合わせて撓わせて持ち、表面の汚れを拭い取る。
皿、鍋、フライパン、ボウル等の大きいカーブ面の汚れは、図５中のｂの説明図に示すような持ち方で拭い取る。
また、食器類の大きいカーブ面の柔らかい汚れに対しては図５中のｅの説明図に示すように本発明の先端部分を当てて、先端を板と直角方向に動かして汚れを先端でさらうようにして拭い取る。
おたま、スプーン等の小さなカーブ面の汚れは、図５中のｃの説明図に示すような持ち方で拭い取る。
カップの縁や内側面の汚れは、図５中のｄの説明図に示すような持ち方で、撓わせグリップ板（１）を丸めて、胴体部分のリッジ部（６）で擦り取る。
孔（７）で箸先の汚れを拭い取る。
【符号の説明】
【００２２】１  撓わせグリップ板
２  ラフブラシ部
３  スクレーパーエッジ部
４  平頭エッジ
５  直縁部
６  リッジ部
７  孔
【図１】
2014151167.tif 000003
【図２】
2014151167.tif 000004
【図３】
2014151167.tif 000005
【図４】
2014151167.tif 000006
【図５】
2014151167.tif 000007
【図６】
2014151167.tif 000008
【図７】
2014151167.tif 000009
【図８】
2014151167.tif 000010
【図９】
2014151167.tif 000011
【図１０】
2014151167.tif 000012
【図１１】
2014151167.tif 000013
【図１２】
2014151167.tif 000014
【図１３】
2014151167.tif 000015
【図１４】
2014151167.tif 000016
【図１５】
2014151167.tif 000017
【図１６】
2014151167.tif 000018
【図１７】
2014151167.tif 000019
【図１８】
2014151167.tif 000020
【図１９】
2014151167.tif 000021